(57)【要約】【課題】  アクチュエータを構成するロータとセクタとを一体化したセクタ駆動装置を提供することを課題とする。【解決手段】  セクタ駆動装置は、第１セクタ（５）と、コイル３ａが巻回されたステータ（３）と、支軸（２ｂ）を支点として回動するロータ（４）と、ロータ（４）に第１セクタ（５）を取り付ける取付部材（１０）とを備えている。取付部材（１０）は、軸受け部（９）と第１つば部（９ａ）と第２つば部（９ｂ）を有し、第１つば部（９ａ）と第２つば部（９ｂ）は、ロータ（４）と第１セクタ（５）を挟み込むように形成されている。取付部材（１０）は、第一セクタ（５）及びロータ（４）をインサート品とするインサート成形により形成されている。【選択図】          図３
2006189513.tif 000002
【特許請求の範囲】
【請求項１】
セクタと、コイルが巻回されたステータと、支軸を支点として回動するロータと、前記ロータに前記セクタを取り付ける取付部材とを備えたセクタ駆動装置であって、
前記取付部材は、前記支軸にはめ込まれる円筒状の軸受け部と、前記軸受け部の両端部のそれぞれから、前記支軸の径方向外側へ突出している第１つば部と第２つば部を含み、前記第１つば部と前記第２つば部とが、前記ロータと前記セクタとを狭持することを特徴とするセクタ駆動装置。
【請求項２】
前記取付部材が、前記セクタと前記ロータとの間に、さらに第３つば部を有していることを特徴とする請求項１記載のセクタ駆動装置。
【請求項３】
前記ロータ及び前記セクタをインサート品とし、インサート成形により前記取付部材が形成されていることを特徴とする請求項１又は２記載のセクタ駆動装置。
【発明の詳細な説明】
【技術分野】
【０００１】
本発明は、カメラ用として好適であるセクタ駆動装置に関する。
【背景技術】
【０００２】
従来、シャッタ開口を開閉するカメラ用のセクタ駆動装置は、アクチュエータによってセクタを駆動するのが一般的であるが、このようなアクチュエータは、コイルを備えたステータと、このコイルに通電することによって回動するロータを備えている。カメラ用セクタを２枚のセクタから構成した場合は、第１セクタをロータにより直接駆動してこれを揺動させ、一方の第２セクタは第１セクタに設けた係合ピンと係合する係合溝を設け、両者を係合させて第２セクタを揺動させる構成のものがある。
【０００３】
このような構成のカメラ用セクタ駆動装置は、特許文献１にも記載されている。ここで、特許文献１に記載されたカメラ用セクタ駆動装置では、ロータに相当する円筒状の永久磁石をセクタ（シャッタ羽根）に接着剤で固着している。
【０００４】
【特許文献１】実開平３−１０８２０９号公報
【発明の開示】
【発明が解決しようとする課題】
【０００５】
しかしながら、前記特許文献１は、接着剤でロータとセクタとを固着しているので、セクタがロータから脱落する原因となる。
【０００６】
そこで本発明は、セクタがロータから脱落することなく確実に、保持されるセクタ駆動装置を提供することを目的とする。
【課題を解決するための手段】
【０００７】
上記目的を達成するための本発明のセクタ駆動装置は、セクタと、コイルが巻回されたステータと、支軸を支点として回動するロータと、前記ロータに前記セクタを取り付ける取付部材とを備えたセクタ駆動装置であって、前記取付部材は、前記支軸にはめ込まれる円筒状の軸受け部と、前記軸受け部の両端部のそれぞれから、前記支軸の径方向と外側へ突出している第１つば部と第２つば部を含み、前記第１つば部と前記第２つば部とが、前記ロータと前記セクタとを狭持することを特徴とする（請求項１）。
【０００８】
本発明によると、取付部材の第１つば部と第２つば部とでロータとセクタを狭持することができる。よって、セクタがロータから脱落することなく確実に保持される。
【０００９】
このようなセクタ駆動装置では、前記取付部材が、前記セクタと前記ロータとの間に、さらに第３つば部を有している構成にすることもできる（請求項２）。請求項１記載のセクタ駆動装置よりも、セクタがロータから脱落することなく保持される。
【００１０】
前記ロータ及び前記セクタをインサート品とし、インサート成形により前記取付部材が形成されていることを特徴とする請求項１又は２記載のセクタ駆動装置。  （請求項３）。一体的に成形することにより、セクタをロータから脱落することなく確実に保持できる。
【発明の効果】
【００１１】
本発明によれば、セクタがロータから脱落することなく確実に保持されるセクタ駆動装置を提供できる。
【発明を実施するための最良の形態】
【００１２】
以下、本発明を実施するための最良の形態を図面と共に詳細に説明する。
【実施例】
【００１３】
図１及び図２は、実施例１のセクタ駆動装置１の平面図である。図１は、基板２に設けたシャッタ開口２ａの全開状態を示している。図２は、基板２に設けたシャッタ開口２ａの全閉状態を示している。また、図３は、図１のＡ−Ａ線における断面図である。
【００１４】
セクタ駆動装置１は、シャッタ開口２ａ、第１支軸２ｂ、第２支軸２ｃが設けられた基板２を備えている。更に、セクタ駆動装置１は、コイル３ａが巻回されたステータ３、ロータ４、取付部材１０（図３参照）、第１セクタ５、第２セクタ６を備えている。第１セクタ５には第１支軸２ｂを通すための軸穴が設けられている。また、基板２のセクタがある側に対向した位置に第１、第２セクタ５，６やステータ３等の脱落防止のための押え板が設けられるが、図面では省略している。
【００１５】
基板２は、図３に示すように、第２支軸２ｂの周辺で凹状になり、直方体の空間１１が形成される。基板２の凹面部にはステータ３が備えるコイル３ａの一部を逃がすことのできる逃げ穴１１ａが形成されている。また、第１支軸２ｂは基板２の凹面上に形成されている。以上のようにして基板２上に、ステータ３、ロータ４、第１セクタ５、第２セクタ６が組み付けられている。
【００１６】
図３に示すように、取付部材１０は、軸受け部９と、第１つば部９ａと、第２つば部９ｂを含む。軸受け部９は、第１支軸２ｂとロータ４の間に介在する円筒状の形状をしている。第１つば部９ａは、取付部材１０の上端から外側へ突出しており、第１セクタ５に設けられた軸穴の上面周辺部をリング状に覆うように形成されている。第２つば部９ｂは、取付部材１０の下端から外側へ突出しており、ロータ４の底面をリング状に覆うように形成されている。よって、第１つば部９ａと第２つば部９ｂに、ロータ４及び第１セクタ５が挟持される。以上により、第１セクタ５はロータ４に取り付けられる。よって、ロータ４が回動すれば、それにともなって第１セクタ５も揺動する。
【００１７】
第１セクタ５には係合ピン７が設けられており、第２セクタ６には係合溝８が設けられている。係合溝８は、係合ピン７と係合し、第１セクタ５が揺動すると、これに伴って第２セクタ６は第２支軸２ｃを支点として揺動し、シャッタ開口２ａを開閉できるような形状である。
【００１８】
上記のセクタ駆動装置１における取付部材１０は、第１セクタ５及びロータ４をインサート品とするインサート成形によって一体に形成される。以下、インサート成形の手順について説明する。まず、円筒状に形成した永久磁石からなるロータ４と、プレス抜き等により製造した樹脂製の第１セクタ５を設置した状態で、ロータ４の軸穴の周部に円筒状の空間が形成され、第１セクタ５の軸穴の上面周辺部とロータ４の底面にリング状の空間が形成されるような金型を準備する。次にロータ４と第１セクタ５とを金型に収納する。金型にロータ４と第１セクタ５を収納すると各々の軸穴が正確に重なるように設置される。その後、金型内の空間に樹脂を流し込む。樹脂が固まったのちに金型を取り外せば、ロータ４及び第１セクタ５が、取付部材１０の第１つば部９ａと第２つば部９ｂとにより挟持された状態で一体に成形される。以上の方法により、ロータ４と第１セクタ５との双方に設けられている軸穴が正確に重なった状態で、ロータ４及び第１セクタ５は取付部材１０の第１つば部９ａと第２つば部９ｂとにより挟持されるので、ロータ４に第１セクタ５を精度よく位置決めをして保持することができる。
【００１９】
ロータ４に第１セクタ５を精度よく位置決めをして保持することにより、第１支軸２ｂに余分な負荷をかけることなくシャッタ開口２ａを開閉できる。また、完成品としたときに、第１セクタ５がロータ４から脱落することを防止できる。
【００２０】
次に本発明の実施例２について、図４に基づいて説明する。図４は、図３と同様な、実施例２のセクタ駆動装置１ａについての断面図である。ここで、実施例２のセクタ駆動装置１ａと、実施例１のセクタ駆動装置１との異なる点は、図４に示されているように、セクタ駆動装置１ａの取付部材１０が、第３つば部９ｃを含んでいる点である。第３つば部９ｃが、第１セクタ５とロータ４の間に介在することにより、第１セクタ５は第１つば部９ａと第３つば部９ｃとで挟持され、ロータ４は第２つば部９ｂと第３つば部９ｃとで挟持される。このように、第１セクタ５とロータ４のそれぞれを直接つば部により挟持することにより、実施例１のセクタ駆動装置１よりも極めて安定した状態で、ロータ４に第１セクタ５を位置決めし保持することが可能となる。第１セクタ５のロータ４からの脱落防止の効果についても、実施例１のセクタ駆動装置１より十分に発揮する。そのほかの点では同様の構成である。
【００２１】
以上本発明の好ましい実施形態について詳述したが、本発明は係る特定の実施形態に限定されるものではなく、特許請求の範囲に記載された本発明の要旨の範囲内において、変形・変更が可能である。例えば、取付部材１０は同一の樹脂を用いて一体成形しているが、インサート成形において二種以上の樹脂を流し込む二色成形をも行うことができる。
【図面の簡単な説明】
【００２２】
【図１】実施例１のセクタ駆動装置の平面図であり、シャッタ開口を開いた状態を示すものである。
【図２】実施例１のセクタ駆動装置の平面図であり、シャッタ開口を閉じた状態を示すものである。
【図３】図１におけるＡ−Ａ線で断面とし、一部を拡大した拡大断面図である。
【図４】実施例２についてのセクタ駆動装置の断面図である。
【符号の説明】
【００２３】
１、１ａ  セクタ駆動装置
２  基板
２ａ  シャッタ開口
２ｂ  第１支軸
２ｃ  第２支軸
３  ステータ
３ａ  コイル
４  ロータ
５  第１セクタ
６  第２セクタ
７  係合ピン
８  係合溝
９  軸受け部
９ａ  第１つば部
９ｂ  第２つば部
９ｃ  第３つば部
１０  取付部材
１１  空間
１１ａ  逃げ穴
【図１】
2006189513.tif 000003
【図２】
2006189513.tif 000004
【図３】
2006189513.tif 000005
【図４】
2006189513.tif 000006